(57)【要約】  【課題】  流動物収容袋が大容量の場合に胴膨れを防止して容器の破損を防ぐことができると共に、製造コストを増大させることの無い流動物用段ボール製容器を提供する。  【解決手段】  底蓋７と、角筒状の枠体１１と、枠体１１の上部開口を塞ぐ上蓋１２とを有する流動物収容袋を収容する流動物用段ボール製容器１０であって、枠体１１は、多層段ボール片が複数の折り曲げ箇所で折り曲げられてなる第１側壁体と、多層段ボール片が複数の折り曲げ箇所で折り曲げられてなる第２側壁体とから形成されていると共に、第１側壁体の一方の端部の側面と第２側壁体の一方の端部の側面が重ね合されてなる第１固定部と、第１側壁体の他方の端部の側面と第２側壁体の他方の端部の側面が重ね合されてなる第２固定部とを有している。【選択図】図９
2019014528.tif 000002
【特許請求の範囲】
【請求項１】
側壁を備えた底蓋と、
前記底蓋の側壁の内側に下部が位置すると共に、断面が多角形に形成されてなる角筒状の枠体と、
前記枠体の上部開口を塞ぐ上蓋と、を有する流動物収容袋を収容する流動物用段ボール製容器であって、
前記枠体は、多層段ボール片が複数の折り曲げ箇所で折り曲げられてなる第１側壁体と、多層段ボール片が複数の折り曲げ箇所で折り曲げられてなる第２側壁体とから形成されていると共に、
前記第１側壁体の一方の端部の側面と前記第２側壁体の一方の端部の側面が重ね合されてなる第１固定部と、
前記第１側壁体の他方の端部の側面と前記第２側壁体の他方の端部の側面が重ね合されてなる第２固定部とを有することを特徴とする流動物用段ボール製容器。
【請求項２】
第１固定部と第２固定部は、圧縮されていることを特徴とする請求項１に記載の流動物用段ボール製容器。
【請求項３】
第１固定部と第２固定部の各々の厚みは、元の厚みの４０％以上６０％以下の範囲にあることを特徴とする請求項２に記載の流動物用段ボール製容器。
【請求項４】
第１固定部と第２固定部の各々の境界部分が折り曲げられていることを特徴とする請求項１〜３のいずれか１項に記載の流動物用段ボール製容器。
【請求項５】
第１側壁体と第２側壁体の多層段ボール片は、隣り合う段ボール相互のフルート目方向が互いに直交するように重ね合せて接着して形成されていることを特徴とする請求項１〜４のいずれか１項に記載の流動物用段ボール製容器。
【請求項６】
枠体には、流動物収容袋の排出口を引き出すことが可能な開口が形成されていることを特徴とする請求項１〜５のいずれか１項に記載の流動物用段ボール製容器。
【発明の詳細な説明】
【技術分野】
【０００１】
本発明は、液体、粉状体、粒状体等の流動物を収容するプラスチック等の合成樹脂から形成されている流動物収容袋を収容する流動物用段ボール製容器に関するものである。
【背景技術】
【０００２】
従来から、流動物収容袋を収容する流動物用段ボール製容器に関する発明は知られている（特許文献１）。
【０００３】
特許文献１に記載の発明は、図１１に示すように、バッグインボックスタイプの液体用複合容器３０において、箱体３１の内側のコーナ３２、３２・・に、このコーナ３２、３２・・を構成する凹部３３、３３・・を塞ぐようにパッド３４、３４・・を配したものである。
【０００４】
これによって、落下時における合成樹脂製のバッグ３５、３６の損傷を防止すると共に、加圧によってバッグ３６内の飲料を注出する際における外側のバッグのコーナ部の局部的な延伸を防止することが可能となった。
【先行技術文献】
【特許文献】
【０００５】
【特許文献１】実開平１−１７６０６６号公報
【発明の概要】
【発明が解決しようとする課題】
【０００６】
しかしながら、上記特許文献１に記載の流動物用段ボール製容器には、単層の段ボールが使用されており、一辺が４０ｃｍ以下の比較的小さな容器である場合には、有効であるが、一辺が１００ｃｍを超えるような大型の容器の場合には、段ボール製容器の側壁が収容されている流動物のヘッド圧により外部へ膨出する所謂胴膨れ現象を起こして破損し易くなるという課題を有していた。
【０００７】
本発明は、上述した問題点を解決するためになされたものであり、流動物を収容するプラスチック等の合成樹脂から形成されている流動物収容袋が大容量の場合において、収容されている流動物のヘッド圧により外部へ膨出する胴膨れを防止して容器の破損を防ぐことができると共に、製造コストを増大させることの無い流動物用段ボール製容器を提供することを目的とする。
【課題を解決するための手段】
【０００８】
請求項１の流動物用段ボール製容器の発明は、側壁を備えた底蓋と、前記底蓋の側壁の内側に下部が位置すると共に、断面が多角形に形成されてなる角筒状の枠体と、前記枠体の上部開口を塞ぐ上蓋と、を有する流動物収容袋を収容する流動物用段ボール製容器であって、前記枠体は、多層段ボール片が複数の折り曲げ箇所で折り曲げられてなる第１側壁体と、多層段ボール片が複数の折り曲げ箇所で折り曲げられてなる第２側壁体とから形成されていると共に、前記第１側壁体の一方の端部の側面と前記第２側壁体の一方の端部の側面が重ね合されてなる第１固定部と、前記第１側壁体の他方の端部の側面と前記第２側壁体の他方の端部の側面が重ね合されてなる第２固定部とを有することを特徴としている。
【０００９】
請求項１の流動物用段ボール製容器は、枠体が多層段ボール片からなる第１側壁体と第２側壁体で形成されているので、流動物収容袋が大容量の場合において、収容されている流動物のヘッド圧により外部へ膨出する胴膨れを防止して容器の破損を防ぐことができる。また、枠体は、第１固定部と第２固定部とにより角筒状に形成することができるため、簡易な構造であることから製造コストを増大させることの無い流動物用段ボール製容器を提供できる。
【００１０】
請求項２の発明は、請求項１の発明において、第１固定部と第２固定部は、圧縮されていることを特徴としている。したがって、第１固定部と第２固定部が収容される流動物用段ボール製容器に傷を付けることを防ぐと共に、角筒状の枠体の強度を増加させることができる。
【００１１】
請求項３の発明は、請求項２の発明において、第１固定部と第２固定部の各々の厚みは、元の厚みの４０％以上６０％以下の範囲にあることを特徴としている。したがって、第１固定部と第２固定部が収容される流動物用段ボール製容器に傷を付けることを防ぐと共に、角筒状の枠体の強度を増加させることができる。
【００１２】
請求項４の発明は、請求項１〜３のいずれかの発明において、第１固定部と第２固定部の各々の境界部分が折り曲げられていることを特徴としている。したがって、第１固定部と第２固定部を角筒状の枠体の側壁の１つの面とすることができ、枠体の強度を増加させることができる。
【００１３】
請求項５の発明は、請求項１〜４のいずれかの発明において、第１側壁体と第２側壁体の多層段ボール片は、隣り合う段ボール相互のフルート目方向が互いに直交するように重ね合せて接着して形成されていることを特徴としている。したがって、隣り合うフルート目方向が互いに平行となるように重ね合された多層段ボール片と比較した場合に強度が増すことから、一層胴膨れを防止して、流動物用段ボール製容器の破損を防ぐことができる。
【００１４】
請求項６の発明は、請求項１〜５のいずれかの発明において、枠体には、流動物収容袋の排出口を引き出すことが可能な開口が形成されていることを特徴としている。したがって、開口によって、流動物用段ボール製容器から流動物収容袋を取り出すこと無く、流動物を取り出すことができる。
【発明の効果】
【００１５】
請求項１の発明は、流動物収容袋が大容量の場合に、収容されている流動物のヘッド圧により外部へ膨出する胴膨れを防止することができ、流動物用段ボール製容器の破損を防ぐことができる。また、製造コストを増大させることの無い流動物用段ボール製容器を提供できる。また、請求項２〜５の発明は、枠体の強度を増加させることによって、一層流動物収容袋の胴膨れを防止して、流動物用段ボール製容器の破損を防ぐことができる。また、請求項６の発明は、流動物用段ボール製容器から流動物収容袋を取り出すこと無く、流動物を取り出すことができる。
【図面の簡単な説明】
【００１６】
【図１】固定部が圧縮される前の状態の枠体を示す平面図である。
【図２】圧縮装置にセットされた状態の枠体を示す斜視図である。
【図３】圧縮装置にセットされた状態の枠体を示す斜視図である。
【図４】圧縮装置にセットされた状態の枠体を示す一部拡大正面図である。
【図５】固定部が圧縮された状態の枠体を示す平面図である。
【図６】枠体を底蓋に設置した状態を示す斜視図である。
【図７】枠体の他例を示す斜視図である。
【図８】枠体を底蓋に設置した状態を示す斜視図である。
【図９】上蓋を載置した状態の流動物用段ボール製容器を示す斜視図である。
【図１０】枠体を構成する多層段ボール片の他例を示す斜視図である。
【図１１】従来の流動物用段ボール製容器を示す断面図である。
【発明を実施するための形態】
【００１７】
次に、本発明の実施形態を図面に基づいて説明する。図１は、本発明に係る流動物用段ボール製容器を構成する枠体であって、固定部が圧縮される前の状態の枠体を示す平面図である。図１に示すように、枠体１は、断面が多角形に形成されてなる角筒状に形成されており、多層段ボール片が複数の折り曲げ箇所５ａ、５ｂ、５ｃ、５ｄで折り曲げられてなる第１側壁体２と、多層段ボール片が複数の折り曲げ箇所６ａ、６ｂ、６ｃ、６ｄで折り曲げられてなる第２側壁体３とから形成されている。
【００１８】
そして、第１側壁体２の一方の端部２ａの側面と第２側壁体３の一方の端部の側面３ａが重ね合されて接着剤で固定されて、第１固定部４ａが形成されている。また、第１側壁体２の他方の端部２ｂの側面と第２側壁体３の他方の端部３ｂの側面が重ね合されて接着剤で固定されて第２固定部４ｂが形成されている。
【００１９】
上述のように枠体１が構成されているので、流動物収容袋が大容量の場合において、収容されている流動物のヘッド圧により外部へ膨出する胴膨れを防止して容器の破損を防ぐことができる。また、枠体１は、第１固定部４ａと第２固定部４ｂとにより角筒状に形成することができるため、簡易な構造であることから製造コストを増大させることの無い流動物用段ボール製容器を提供できる。尚、図１においては、第１側壁体２の他方の端部２ｂの側面が、第２側壁体３の他方の端部３ｂの側面の外側に配置される構成としているが、第１側壁体２の他方の端部２ｂの側面が、第２側壁体３の他方の端部３ｂの側面の内側に配置される構成としてもよく、これも本発明に含まれる。
【００２０】
図２及び図３は、圧縮装置にセットされた状態の枠体を示す斜視図であり、図４は、圧縮装置にセットされた状態の枠体を示す一部拡大正面図である。また、図５は、固定部が圧縮された状態の枠体を示す平面図である。これらの図を用いて枠体の固定部の圧縮について説明する。
【００２１】
第１固定部４ａと第２固定部４ｂの圧縮は、図２に示すように、第１固定部４ａと第２固定部４ｂが対向するようにして圧縮装置４０に載置され、第１固定部と第２固定部との間の空間部には、治具４１が挿入される。この治具４１は、木材又は段ボールで成形されており、圧縮時には第１固定部４ａ及び第２固定部４ｂの内側面に当接している。
【００２２】
そして、第１固定部４ａ及び第２固定部４ｂは、圧縮装置４０によって上下方向から圧縮されることにより、元の厚みの半分の厚みに圧縮される。第１固定部４ａ及び第２固定部４ｂの圧縮される厚みの範囲は、元の厚みの４０％以上６０％以下の範囲にあることが好ましい。
【００２３】
また、第１固定部４ａ及び第２固定部４ｂは、各々の境界部分が折り曲げ箇所５ａ、６ａと折り曲げ箇所５ｄ、６ｄとなっており、この位置で折り曲げられることによって、第１固定部４ａと第２固定部４ｂを角筒状の枠体１の側壁の１つの面とすることができる。これにより、枠体１の強度を増加させることができる。
【００２４】
尚、第１側壁体２の折り曲げ箇所５ａ、５ｂ、５ｃ、５ｄと、第２側壁体３の折り曲げ箇所６ａ、６ｂ、６ｃ、６ｄにおける折り曲げ線の形成に際して、図２及び図３に示した圧縮装置４０を使用することができる。その場合には、外径９０ｍｍの鉄パイプを第１側壁体２又は第２側壁体３の折り曲げ箇所に載置すると共に、上下方向から圧縮装置４０によって押圧することにより、第１側壁体２又は第２側壁体３に鉄パイプがくい込み、鉄パイプを取り外すと第１側壁体２又は第２側壁体３に凹部が形成され、この凹部を折り曲げ線とすることができる。尚、使用する鉄パイプの外径は、第１側壁体２及び第２側壁体３の厚みによって適宜変更される。
【００２５】
図６は、枠体を底蓋に設置した状態を示す斜視図である。図５に示すように第１固定部４ａと第２固定部４ｂが圧縮された枠体１は、図６に示す底蓋７に嵌合するように拡げられて底蓋７の底面７ｊに載置される。底蓋７は底面７ｊと、８面の側壁７ａ、７ｂ、７ｃ、７ｄ、７ｅ、７ｆ、・・とにより構成されている。また、枠体１も底蓋７の側壁に対応する寸法の８面の側壁１ａ、１ｂ、１ｃ、１ｄ、１ｅ、１ｆ、１ｇ、１ｈにより構成されている。そして、枠体１が底蓋７に嵌合している。即ち、枠体１の８面の側壁１ａ、１ｂ・・の各々の外側面の下部が、底蓋７の８面の側壁７ａ、７ｂ・・の各々の内側面に当接した状態となっている。尚、図６において、側壁１ａ、１ｃ、１ｅ、１ｇの幅方向（横方向）の長さは略等しくなるようにするのが好ましい。同様に、側壁１ｂ、１ｄ、１ｆ、１ｈの幅方向（横方向）の長さは略等しくなるようにするのが好ましい。これにより、要求される強度を確保しつつ、容積を最大化することができる。
【００２６】
図７は、枠体の他例を示す斜視図である。図８は、図７に示した枠体を底蓋に設置した状態を示す斜視図である。図７に示す枠体１１は、図６に示した枠体１よりも高さ方向が高くなっていると共に、枠体１１の側壁１１ａに流動物収容袋の排出口を引き出すことが可能な開口８が形成されている。この開口８によって、流動物用段ボール製容器から流動物収容袋を取り出すこと無く、流動物を取り出すことができる。そして、図８に示す状態で枠体１１の上部開口９から図示しない流動物収容袋が挿入された後、流動物収容袋に流動物が充填される。
【００２７】
図９は、上蓋を載置した状態の流動物用段ボール製容器を示す斜視図である。流動物の注入が完了して流動物収容袋の注入口が閉じられた段階で、上蓋１２により、枠体１１の上部開口が閉じられて、流動物用段ボール製容器１０は、図９に示す状態となる。そして、流動物用段ボール製容器１０は、図９に示す状態で、締め付けバンド（図示せず）により、運搬用パレット１３と共に、外周を固く緊締される。尚、締め付けバンドは、金属製、合成樹脂製のいずれでもよい。
【００２８】
図１０は、枠体を構成する多層段ボール片の他例を示す斜視図である。上述した枠体１、１１を構成する多層段ボール片は、６枚の段ボールが、隣り合う段ボール相互のフルート目方向が互いに平行となるようにして重ね合せて接着して形成されている。一方、図１０に示す多層段ボール片２２は、６枚の段ボール２２ａ、２２ｂ・・が、隣り合う段ボール２２ａ、２２ｂ相互のフルート目方向が互いに直交するようにして重ね合せて接着して形成されており、これを枠体１、１１に適用することも可能である。
【００２９】
これにより、隣り合うフルート目方向が互いに平行となるように重ね合された多層段ボール片と比較した場合に強度が増すことから、一層胴膨れを防止して、流動物用段ボール製容器の破損を防ぐことができる。尚、重ね合わせる段ボールの数は、要求される強度に対応して適宜決定されるものである。
【産業上の利用可能性】
【００３０】
本発明の流動物用段ボール製容器は、液体、粉状体、粒状体等の流動物を収容するプラスチック等の合成樹脂から形成されている流動物収容袋を収容する容器として使用される。
【符号の説明】
【００３１】
１、１１  枠体
１ａ、１ｂ、１ｃ、１ｄ、１ｅ、１ｆ、１ｇ、１ｈ  側壁
２  第１側壁体
３  第２側壁体
４ａ  第１固定部
４ｂ  第２固定部
５ａ、５ｂ、５ｃ、５ｄ、６ａ、６ｂ、６ｃ、６ｄ  折り曲げ箇所
７  底蓋
７ａ、７ｂ、７ｃ、７ｄ、７ｅ、７ｆ  側壁
７ｊ  底面
８  開口
９  上部開口
１０  流動物用段ボール製容器
１２  上蓋
１３  運搬用パレット
４０  圧縮装置
４１  治具
【図１】
2019014528.tif 000003
【図２】
2019014528.tif 000004
【図３】
2019014528.tif 000005
【図４】
2019014528.tif 000006
【図５】
2019014528.tif 000007
【図６】
2019014528.tif 000008
【図７】
2019014528.tif 000009
【図８】
2019014528.tif 000010
【図９】
2019014528.tif 000011
【図１０】
2019014528.tif 000012
【図１１】
2019014528.tif 000013